(57)【要約】【課題】本考案は、バイメタル温度センサ及びバイマテリアル相対湿度センサにディスクを接続することにより、現在の温度及び相対湿度から算出、又は推定可能な各種情報等を見やすく詳細に表示すると共に、従来の温度及び相対湿度も合わせて計測できる温湿度計を提供する。【解決手段】本考案は、同軸的に構成する相対湿度センサ１、温度センサ２のそれぞれの軸に計測指針４及びディスク３が接続され、計測指針４は前面カバー５の湿度目盛８と、ディスク表示された各種情報７を指し示して、現在の相対湿度と、温度及び相対湿度に一致した各種情報を与える。また、ディスクに表示された温度目盛を前面カバー５に表示された温度指示矢印９により指し示すことによって温度を計測できる。【選択図】図１
0003156093.tif 000002
【実用新案登録請求の範囲】
【請求項１】
バイメタル温度センサ及びバイマテリアル相対湿度センサ等の回転軸に直接、又は間接的にディスクや計測指針を接続し、接続されたディスクにそれぞれのセンサの回転角に一致させた情報を表示しておくことで、ディスクに重なる計測指針やディスクの位置によって、現在の温度及び相対湿度から算出、又は類推可能な各種情報を見やすく、詳細に表示できると共に、温度及び相対湿度も計測できることを特徴とした情報表示付き温湿度計
【考案の詳細な説明】
【技術分野】
【０００１】  本考案は、現在の温度及び相対湿度を計測し、現在の温度及び相対湿度よって算出、又は類推可能な各種情報を表示するための温湿度計に関するものである。
【背景技術】
【０００２】  温湿度計は温度、相対湿度それぞれの計測指針が、温度、相対湿度の目盛を指し示して、現在の温度、相対湿度を計測する。また、温度、相対湿度の計測指針が左右独立して配置されているものは、温度、相対湿度の計測指針が交差する点の位置により、温度湿度に関する情報を明示するものであった。
【考案の概要】
【考案が解決しようとする課題】
【０００３】  解決しようとする問題点は、温度及び相対湿度の目盛を指し示す計測指針だけでは、現在の温湿度から算出、又は類推できる情報を分かりやすく詳細に表示できないため、その欠点を解決しようするものである。
【課題を解決するための手段】
【０００４】  本考案は、バイメタル温度センサ軸からのトルクで回転するディスクと、バイマテリアル湿度センサ軸に接続する湿度計測指針とによって、現在の温度及び相対湿度の計測並びに現在の温度及び相対湿度から算出、又は類推できる情報を見やすく、また、詳細に表示できる特徴を有する。【０００５】  ディスクと計測指針を入れ替え、湿度センサ軸にディスク、温度センサ軸に計測指針を接続したもの、温度、湿度共にディスクにして、温度、相対湿度の条件が重なったときにだけ情報を表示するものなど、温度、相対湿度から算出又は類推できる情報をさらに見易く表示することも可能である。
【考案の効果】
【０００６】  本考案の温湿度計は、温度、相対湿度の計測はもとより、今まで計測指針を有する温湿度計では情報提供できなかった現在の温度及び相対湿度から求められる露点温度や推定湿球黒球温度、絶対湿度等も計測できると共に、湿球黒球温度を基に各種団体が提供している注意情報等も表示できるという優れた効果がある。
【図面の簡単な説明】
【０００７】
【図１】本考案にかかる温湿度計の一実施例を示す構成図である。
【図２】実施例１の正面図である。
【図３】実施例２の正面図である。
【考案を実施するための形態】
【０００８】  図１は、本考案の一実施例を示す構成図である、同軸的な構成になっているバイマテリアル相対湿度センサ１、バイメタル温度センサ２があり、温度センサ２の軸にはディスク３が、相対湿度センサ１の軸には湿度計測指針４が接続されている。ディスク３には温度目盛６と、温度センサ２及び相対湿度センサ１の回転角に一致させた各種情報７を表示させている。前面カバー５には湿度目盛８及び温度目盛６を指し示す温度指示矢印９が表示され、湿度計測指針４が前面カバー５の湿度目盛８を指し示して、相対湿度が計測できると共に、ディスク上の各種情報７も同時に指し示し、現在の温度及び相対湿度から算出、又は類推できる各種情報を与える。また、前面カバー５の温度指示矢印９はディスクに表示された温度目盛を指し示し、現在温度が計測できる。
【実施例１】
【０００９】  図２は熱中症注意情報表示付き温湿度計の正面図である。温度センサ軸に接続されているディスクには温度目盛６と、温度センサ及び相対湿度センサの回転角に基づき算出した推定湿球黒球温度に従った熱中症注意情報７が表示され、前面カバー５には湿度目盛８と温度指示矢印９が表示されている。温度の変化によってディスクが回転し、温度指示矢印９の指し示す温度目盛６を読み取ることによって、現在の温度を計測できる。また、相対湿度センサ軸に接続されている湿度計測指針４によって、相対湿度目盛８と熱中症の注意情報７が同時に指し示され、現在の相対湿度の計測と熱中症注意情報の識別ができる。
【実施例２】
【００１０】  図３は露点情報表示付き温湿度計の正面図である。温度センサ軸に接続されているディスクには温度目盛６と、温度センサ及び相対湿度センサの回転角に基づき算出した露点温度目盛７が表示され、前面カバー５には湿度目盛８と温度指示矢印９が表示されている。温度センサの変化によってディスクが回転し、温度指示矢印９の指し示す温度目盛６を読み取ることによって、現在の温度を計測できる。また、相対湿度センサ軸に接続された湿度計測指針４によって、湿度目盛８と露点温度目盛７が同時に指し示され、現在の相対湿度と現在の温湿度から求められる露点温度を計測できる。計測した露点温度の精度は温度、湿度センサに誤差がないものとして、湿度が３０％以上ならば、１℃以内に収めることができる。【００１１】  本考案の実施については、今までの説明のとおり、温度センサ軸にディスク、相対湿度センサ軸に湿度計測指針を接続して、温度及び相対湿度によって得られる各種情報を表示できることを示したが、温度センサ軸に温度計測指針、相対湿度センサ軸にディスクを接続しても同じような効果を得ることができる。また、各センサ軸にギアなどを介して回転角を調整したり、ディスクの形状を変化させることで、表示に変化をつけることができる。また、温度センサ軸及び相対湿度センサ軸それぞれにディスクを接続し、ディスクを重ねることによって、温度及び相対湿度の条件が合ったときにだけ注意情報を表示させることもできる。
【符号の説明】
【００１２】１    バイマテリアル相対湿度センサ
２    バイメタル温度センサ
３    ディスク
４    湿度計測指針
５    前面カバー
６    温度目盛
７    温度、相対湿度によって得られる情報
８    湿度目盛
９    温度指示矢印
【図１】
0003156093.tif 000003
【図２】
0003156093.tif 000004
【図３】
0003156093.tif 000005
【手続補正書】
【提出日】平成21年9月16日(2009.9.16)
【手続補正１】
【補正対象書類名】実用新案登録請求の範囲
【補正対象項目名】請求項１
【補正方法】変更
【補正の内容】
【請求項１】
バイメタル温度センサ及びバイマテリアル相対湿度センサの回転軸に直接、又は間接的にディスクや計測指針を接続し、接続されたディスクにそれぞれのセンサの回転角に一致させた情報を表示しておくことで、ディスクに重なる計測指針やディスクの位置によって、現在の温度及び相対湿度から算出、又は類推可能な各種情報を見やすく、詳細に表示できると共に、温度及び相対湿度も計測できることを特徴とした情報表示付き温湿度計